(57)【要約】【課題】            居住空間を冷房するための最適な構造を備えた空気調和装置付きのテント装置に関する。【解決手段】        居住空間Ａを作る内壁部材１の外側に外壁部材２を配置して、内壁部材１と外壁部材２との間に空間３を有する二重構造のテント装置Ｂを構成し、テント装置Ｂには居住空間Ａを冷却するエアコン装置Ｃを配置する。エアコン装置Ｃは、圧縮機６と室外熱交換器７と室外送風機８とを備えた室外機４と、室内送風機９と室内空気流路１０と室内熱交換器１１とを備えた室内機５とで構成され、室内機５は居住空間Ａ内の空気を吸入して冷気に変えて居住空間Ａに吹き出す。テント装置Ｂの外壁部材２の上部には空間３と外気とを連絡する開口１２を設け、室外機４の吸気口１３を空間３内に開口し、室外送風機８はテント装置Ｂの外壁部材２に設けた開口１２から空間３内を経由した空気を室外熱交換器７に供給する。【選択図】          図１
2010054167.tif 000002
【特許請求の範囲】
【請求項１】
居住空間Ａを作る内壁部材１と、その内壁部材１の外側に位置した外壁部材２と、前記内壁部材１と前記外壁部材２との間に形成した空間３とを有する、二重構造のシートによって構成されるテント装置Ｂであって、
そのテント装置Ｂには前記居住空間Ａ内を冷却するエアコン装置Ｃが配置されており、
そのエアコン装置Ｃは、室外機４と室内機５とで構成され、
前記室外機４は、冷媒を圧縮する圧縮機６と、高圧の冷媒を液化する室外熱交換器７と、その室外熱交換器７に空気を供給する室外送風機８とを備え、
前記室内機５は、前記居住空間Ａ内の空気を吸入して冷気に変えて居住空間Ａに吹き出す室内送風機９と、その室内送風機９の空気流が通過する室内空気流路１０と、その室内空気流路１０内に配置して前記室外熱交換器１３で液化した冷媒を気化する室内熱交換器１１とを備えると共に、
前記テント装置Ｂの前記外壁部材２の上部には、前記空間３と外気とを連絡する開口１２を設け、
前記室外機４には、外気を前記室外送風機８へ供給する吸気口１３と、前記室外熱交換器７を通過した空気が吹き出す吹出口１４とを設け、
前記吸気口１３は前記空間３内に開口しており、前記室外送風機８は前記テント装置Ｂの前記外壁部材２に設けた開口１２から前記空間３内を経由した空気を、前記室外熱交換器７に供給することを特徴とする空気調和装置付きテント装置。
【請求項２】
前記エアコン装置Ｃの室外機４は、吸気口１３が前記空間３内に開口すると共に吹出口１４が外気に開口して前記空間３と外気とを連絡しており、
前記室外送風機８は前記室外熱交換器７に供給した前記空間３内の空気をテント装置Ｂの外へ吹き出すことを特徴とする請求項１に記載した空気調和装置付きテント装置。
【請求項３】
前記室外機４と室内機５は、共通のベース１５に設置されて一体化したエアコン装置Ｃを構成し、
室外機４と室内機５との間に内壁部材１が位置して、室外機４がテント装置Ｃの空間３内に配置されると共に室内機５が居住空間Ａ内に配置されることを特徴とする請求項１または２に記載した空気調和装置付きテント装置。
【請求項４】
前記外壁部材２には、室外機４の吹出口１４と対向する空気流出口１６を設け、該空気流出口１６の内縁には、前記室外機４の吹出口１４の外周と接続する空気案内部材１７を設けたことを特徴とする請求項３に記載した空気調和装置付きテント装置。
【請求項５】
前記室外機４の吸気口１３と間隔を介してベース１５から固定部材１８を立ち上げ、その固定部材１８の上部に室外機４と反対側に向けて室内機５を取り付け、
前記テント装置Ｂの内壁部材１には室内機５と対向する位置に開口部１９を設け、
開口部１９には密着手段２０によって開口部１９の周縁に接続する閉止部材２１を設け、
室内機５は開口部１９から居住空間Ａ内に差込まれ、閉止部材２１が密着手段２０によって開口部１９の周縁に接続して開口部１９を閉止することを特徴とする請求項３または４に記載した空気調和装置付きテント装置。
【請求項６】
前記外壁部材２には空間３内の空気をテント装置Ｂの外へ吹き出す排気ファン２２を配置したことを特徴とする請求項１から５のいずれかに記載した空気調和装置付きテント装置。
【請求項７】
前記テント装置Ｂの外壁部材２の上部の開口１２には網状体２３を設けたことを特徴とする請求項１から６のいずれかに記載した空気調和装置付きテント装置。
【請求項８】
前記テント装置Ｂの上部には外壁部材２と間隔をあけて日よけ部材２４を配置したことを特徴とする請求項１から８のいずれかに記載した空気調和装置付きテント装置。
【発明の詳細な説明】
【技術分野】
【０００１】
この発明は、居住空間を冷房するための最適な構造を備えた空気調和装置付きのテント装置に関するものである。
【背景技術】
【０００２】
居住空間を作る内壁部材の外側に外壁部材を配置し、内壁部材と外壁部材との間に空間を有する二重構造のテント装置があり、この二重構造のテント装置の居住空間を冷房するエアコン装置として、外部もしくは空間に冷房機を配置し、室外空気を取り込んで冷却して冷風を作り出し、内壁部材に設けた吹込み口から居住空間に吹き込んで冷房を行う方式が一般的であった。
【０００３】
この方式は、室外空気をそのまま使って、冷風となるように冷却して空間を経由して居住空間に吹き込むため、居住空間の空気は吹き込まれた空気によって外部に追い出されており、非常に効率が悪いものであった。また、二重構造のテント装置では外壁部材が直射日光を受けて温度が高くなると空間内の温度が低下しにくくなるため、居住空間に吹き込む冷風の温度が高くなって冷房効率が悪化し、快適な空調空間を得ることができなかった。
【０００４】
また、出願人はテント装置に適したエアコン装置を特許文献１に示すように提案しており、このエアコン装置の基本構成は一つのベース上に室内機と室外機を取り付けて、室内機を仮設設備の居住空間に位置させることで、通常の室内と同様に室内空気を取り込んで冷却して冷風を作り出している。
【特許文献１】特開２００３−１３９３８３号公報。
【発明の開示】
【発明が解決しようとする課題】
【０００５】
特許文献１の方式では、室内機が居住空間の空気を取り込んで冷却した空気を吹き出すので、ほぼ密閉された居住空間を作り出すことができ、このエアコン装置を二重構造のテント装置に設置すれば、居住空間を効率よく冷房することができる可能性がある。
しかし、外壁部材が直射日光を受けて空間内の温度が高くなると、内壁部材の表面温度が上昇して熱気が居住空間に伝わり、居住空間の温度低下を妨げるため、結局、十分な冷房効果を得ることができないものであり、二重構造のテント装置において最適な居住空間を作る出だすためには更なる工夫が必要であることがわかった。
【課題を解決するための手段】
【０００６】
この発明は上記の課題を解決するもので、居住空間Ａを作る内壁部材１と、その内壁部材１の外側に位置した外壁部材２と、前記内壁部材１と前記外壁部材２との間に形成した空間３とを有する、二重構造のシートによって構成されるテント装置Ｂであって、そのテント装置Ｂには前記居住空間Ａ内を冷却するエアコン装置Ｃが配置されており、そのエアコン装置Ｃは、室外機４と室内機５とで構成され、前記室外機４は、冷媒を圧縮する圧縮機６と、高圧の冷媒を液化する室外熱交換器７と、その室外熱交換器７に空気を供給する室外送風機８とを備え、前記室内機５は、前記居住空間Ａ内の空気を吸入して冷気に変えて居住空間Ａに吹き出す室内送風機９と、その室内送風機９の空気流が通過する室内空気流路１０と、その室内空気流路１０内に配置して前記室外熱交換器１３で液化した冷媒を気化する室内熱交換器１１とを備えると共に、前記テント装置Ｂの前記外壁部材２の上部には、前記空間３と外気とを連絡する開口１２を設け、前記室外機８には、外気を前記室外送風機８へ供給する吸気口１３と、前記室外熱交換器７を通過した空気が吹き出す吹出口１４とを設け、前記吸気口１３は前記空間３内に開口しており、前記室外送風機８は前記テント装置Ｂの前記外壁部材２に設けた開口１２から前記空間３内を経由した空気を、前記室外熱交換器７に供給することを特徴とするものである。
【０００７】
前記エアコン装置Ｃの室外機４は、吸気口１３が前記空間３内に開口すると共に吹出口１４が外気に開口して前記空間３と外気とを連絡しており、前記室外送風機８は前記室外熱交換器７に供給した前記空間３内の空気をテント装置Ｂの外へ吹き出すことによって、空間３の空気がテント装置Ｂの外に排出されると共に開口１２から空間３に新鮮な空気が送られるので、空間３内は空気の入れ換えが行われて低い温度を維持できるものである。
【０００８】
前記室外機４と室内機５は、共通のベース１５に設置されて一体化したエアコン装置Ｃを構成し、室外機４と室内機５との間に内壁部材１が位置して、室外機４がテント装置Ｃの空間３内に配置されると共に室内機５が居住空間Ａ内に配置されることによって、エアコン装置Ｃが容易にテント装置Ｂに設置できるものとなる。
【０００９】
前記外壁部材２には、室外機４の吹出口１４と対向する空気流出口１６を設け、該空気流出口１６の内縁には、前記室外機４の吹出口１４の外周と接続する空気案内部材１７を設けたことによって、室外熱交換器７を通過して吹出口１４から吹き出す高温空気は空間３内に漏れ出すことなく、直接テント装置Ｂの外へ吹き出すことができる。
【００１０】
前記室外機４の吸気口１３と間隔を介してベース１５から固定部材１８を立ち上げ、その固定部材１８の上部に室外機４と反対側に向けて室内機５を取り付け、前記テント装置Ｂの内壁部材１には室内機５と対向する位置に開口部１９を設け、開口部１９には密着手段２０によって開口部１９の周縁に接続する閉止部材２１を設け、室内機５は開口部１９から居住空間Ａ内に差込まれ、閉止部材２１が密着手段２０によって開口部１９の周縁に接続して開口部１９を閉止することによって、ベース１５によって一体化したエアコン装置Ｃを設置したときでも、空気調和される居住空間Ａが確実に密閉空間を構成することができる。
【００１１】
前記外壁部材２には空間３内の空気をテント装置Ｂの外へ吹き出す排気ファン２２を配置したことによって、開口１２から流入する空気が空間３内の全体に届きやすくなり、空間３の全体を低い温度に維持することができる。
【００１２】
前記テント装置Ｂの外壁部材２の上部の開口１２には網状体２３を設けたことによって、空間３内へのゴミや埃の侵入を防止して室外機４を保護することができる。
【００１３】
前記テント装置Ｂの上部には外壁部材２と間隔をあけて日よけ部材２４を配置したことによって、外壁部材２の直射日光が遮られて空間３の温度上昇を防ぐことができる。
【発明の効果】
【００１４】
この発明は、居住空間Ａを作る内壁部材１と、その内壁部材１の外側に位置した外壁部材２と、前記内壁部材１と前記外壁部材２との間に形成した空間３とを有する、二重構造のシートによってテント装置Ｂを構成し、テント装置Ｂには前記居住空間Ａ内を冷却するエアコン装置Ｃが配置されており、エアコン装置Ｃの室内機５は居住空間Ａ内の空気を吸入して冷気に変えて居住空間Ａに吹き出す構成としたから、居住空間Ａ内を効率良く冷房することができる。
また、テント装置Ｂの外壁部材２の上部には空間３と外気とを連絡する開口１２を設け、エアコン装置Ｃの室外機４は吸気口１３を空間３内に開口して、室外送風機８がテント装置Ｂの外壁部材２に設けた開口１２から空間３内を経由した空気を、室外熱交換器７に供給する構成としたから、空間３内には開口１２から新鮮な空気が送られて空間３内を低い温度に維持することができ、居住空間Ａの冷房効率が向上して快適な居住空間を得ることができるものとなった。
【００１５】
また、前記室外機４の吹出口１４をテント装置Ｂの外に開口して、室外熱交換器７に供給する空間３の空気をテント装置Ｂの外に吹き出す構成としたから、室外熱交換器７を通過して高温となった空気はテント装置Ｂの外へ吹き出し、空間３には開口１２から新鮮な空気が送られ、空間３内の空気の入れ換えが行われるので、空間３を低い温度に維持することができる。
【００１６】
また、前記室外機４と室内機５は、共通のベース１５に設置して一体化したエアコン装置Ｃを構成したから、エアコン装置Ｃはベース１５ごと移動して、テント装置Ｂの内壁部材１が室外機４と室内機５との間に位置するように設置することで、室内機５がテント装置Ｃの空間３内に位置し、室外機４が居住空間Ａ内に位置し、エアコン装置Ｃは電源を接続すればすぐに使用できるものであり、取り扱いやすいエアコン装置Ｃが構成できたものである。空間３内に位置する室外機４は、外壁部材２によって直射日光が遮られて直接加熱されることがなくなるから、室外機４を低い温度に維持することができ、室外機４の性能を維持することができる。
【００１７】
また、エアコン装置Ｃの室外機４をテント装置Ｂの空間３内に配置したときにおいて、前記外壁部材２の空気流出口１６の内縁に空気案内部材１７を取り付けて、その空気案内部材１７の先端を前記室外機４の吹出口１４の外周と接続したから、室外熱交換器７を通過して吹出口１４から吹き出す高温の空気は空気案内部材１７に誘導されて空気流出口１６に向かい、空間３に漏れ出すことなく確実にテント装置Ｂの外へ吹き出すので、空間３内は開口１２から入った新鮮な空気で満たされ、空間３と室外機４は低い温度を維持することができ、冷房効率を低下させることがない。
【００１８】
また、室外機４の吸気口１３と間隔を介してベース１５から固定部材１８を立ち上げ、その固定部材１８の上部に室外機４と反対側に向けて室内機５を取り付け、室内機５はテント装置Ｂの内壁部材１に設けた開口部１９から居住空間Ａ内に差込んで設置し、開口部１９に設けた閉止部材２１を密着手段２０によって開口部１９の周縁に接続して開口部１９を閉止するものである。このため、一体化したエアコン装置Ｃを設置したときでも、空気調和される居住空間Ａを確実に密閉空間にすることができ、居住空間Ａを効率よく冷房できるものである。
【００１９】
また、外壁部材２には空間３の空気をテント装置Ｂの外に吹き出すための排気ファン２２を取り付けたから、空間３内には開口１２から室外機４と排気ファン２２に向かう空気流が形成され、空間３の全体に均一に空気の流れを発生させるので、大型のテント装置Ｂや外気温が高いときでも空間３全体を低い温度に維持することができる。
【００２０】
また、外壁部材２の開口１２に網状体２３を設ければ、開口１２を通過する空気中のゴミや埃を網状体２３で遮って空間３内への侵入を阻止するので、空間３内の空気や室外機４の汚れを防ぐことができる。
【００２１】
また、テント装置Ｂの上部に外壁部材２と間隔をあけて日よけ部材２４を配置すれば、日よけ部材２４が直射日光を遮って外壁部材２が直接加熱されることがなくなるので、外壁部材２の温度上昇を抑えて空間３内を低い温度に維持することができ、居住空間Ａの冷房効率を向上することができる。
【発明を実施するための最良の形態】
【００２２】
図に示す実施例によってこの発明を説明すると、Ｂはテント装置、Ａはテント装置Ｂの居住空間、Ｃはテント装置Ｂに設置して居住空間Ａの冷房を行うためのエアコン装置であり、この種のテント装置Ｂは安価な石油ストーブなどでも暖房できるから、テント装置Ｂの利用者からは冷房需要を望まれ、エアコン装置Ｃは冷暖房タイプではなく冷房専用であってもよい。
【００２３】
１はシートで作られたテント装置Ｂの内壁部材、２は同じくシートで作られた内壁部材１の外側に位置する外壁部材、３は内壁部材１と外壁部材２との間に形成される空間であり、内壁部材１と外壁部材２は支柱やロープなどを使って地面から立ち上げられており、内壁部材１は側壁の下端から連続して居住空間Ａの底面を構成する底シートを形成して、閉ざされた居住空間Ａを作り出している。また、外壁部材２は側壁の下端を地面に埋め込む方法などで地面から連続するように設置されており、内壁部材１と外壁部材２との間に閉ざされた空間３が形成され、二重構造のテント装置Ｂを構成している。
【００２４】
４はエアコン装置Ｃの室外機、６は冷媒を圧縮する圧縮機、７は圧縮機６で加圧された高温高圧の冷媒を液化する室外熱交換器、８は室外熱交換器７に空気を供給する室外送風機であり、圧縮機６・室外熱交換器７・室外送風機８は室外機４に収納している。１３は室外機４の室外送風機８の入口側に設けた吸気口、１４は室外送風機８の出口側に設けた吹出口であり、吸気口１３から入った空気は室外熱交換器７を冷却して高温高圧の冷媒を液化し、室外熱交換器７を通過して高温となった空気は吹出口１４から熱風となって吹き出す。
【００２５】
５はエアコン装置Ｃの室内機、１１は前記室外熱交換器７からキャピラリを介して液化冷媒が送られる室内熱交換器、１０は室内熱交換器１１が配置された室内空気流路、９は室内空気流路１０内の室内熱交換器１１に空気を通過させる室内送風機、９ａは室内機５の室内送風機９の吸入側の室内空気流路１０に設けた吸入口、９ｂは室内機５の室内空気流路１０の出口に設けた吐出口であり、室内熱交換器１１に送られた液化冷媒は室内熱交換器１１で気化し、吸入口９ａから入った空気は室内熱交換器１１で冷媒の気化熱を奪って冷風となり、吐出口９ｂから吹き出している。
【００２６】
そしてこの発明では、室内送風機９によって居住空間Ａの空気が吸入口９ａから吸込まれて室内熱交換器１１に供給されて冷却され、冷風となって吐出口９ｂから居住空間Ａに吹き出し、一方、室外送風機８によって空間３の空気が吸気口１３から吸込まれて室外熱交換器７に供給され、室外熱交換器７を通過した高温空気が吹出口１４から吹き出し、テント装置Ｂの外に排出するように構成したものである。
【００２７】
１２はテント装置Ｂの外壁部材２の上部に設けた開口であり、該開口１２によってテント装置Ｂの空間３と外気とが連絡しており、室外送風機８によって空間３の空気が室外熱交換器７に供給されると空間３内が負圧になるから、外壁部材２の上部に設けた開口１２から室外空気が空間３内に流入し、この空気が空間３内を経由して吸気口１３に向かうものであり、空間３内には空気の流れが発生している。
【００２８】
二重構造のテント装置Ｂでは、外壁部材２が直射日光を受けて加熱されると空間３内の温度が上昇し、空間３の熱気が内壁部材１を通過して居住空間Ａに伝わって、居住空間Ａの冷房効率を低下させる原因となっていたが、この発明のテント装置Ｂは、開口１２から空間３内に常に新鮮な空気が送られ、空間３内で暖められた空気は室外送風機８によって室外熱交換器７に供給し、室外熱交換器７を通過して吹出口１４から吹き出す高温空気をテント装置Ｂの外へ排出するから、空間３は常に開口１２から送られる新鮮な空気で満たされて低い温度に維持することができ、冷房効率を低下させることなく居住空間Ａを冷房することができるものとなった。
【００２９】
図２は前記エアコン装置Ｃをセパレートタイプのエアコン装置で構成したもので、１５は室外機４と室内機５を設置する共通のベース、２５は室外機４と室内機５とを連結する冷媒配管や電気配線などの連結配管であり、ベース１５の一方の端に室外機４を取り付け、他方の端に室内機５を取り付け、室外機４と室内機５とを連結配管２５で接続しており、室外機４と室内機５とが一体化されたエアコン装置Ｃを構成している。
２６は室内機５に接続したドレン配管であり、ドレン配管２６はテント装置Ｂの居住空間Ａ内の空気を冷却したときに除湿された水分が排出されるように室内機５に接続されており、このドレン配管２６の他端は室外機４付近まで伸ばされて、テント装置Ｂの外へ排水することができるようになっている。
【００３０】
このようにエアコン装置Ｃはベース１５によって一体化された状態で、室外機４と室内機５とを連結する連結配管２５が取り付けられているから、電源さえ供給すれば直ちに使用可能な状態になっており、エアコン装置の設置のための業者による工事は不要であり、誰でも直ちに使用することができる。
【００３１】
１９はテント装置Ｂの内壁部材１に設けた開口部であり、エアコン装置Ｃをテント装置Ｂに設置するときは、室内機５を内壁部材１の開口部１９から居住空間Ａ内に差込んで、室外機４と室内機５との間に内壁部材１の側壁が位置するようにエアコン装置Ｃを設置すれば、室内機５が居住空間Ａ内に位置し、室外機４が内壁部材１と外壁部材２との空間３内に位置することができる。
【００３２】
そして、エアコン装置Ｃを運転すると、室内機５は居住空間Ａの空気を吸入口９ａから吸込んで室内熱交換器１１で冷却して吐出口９ｂから居住空間Ａに冷風を吹き出し、一方、室外機４は空間３の空気を吸気口１３から吸込んで室外熱交換器７に供給し、室外熱交換器７を通過した高温空気を吹出口１４から吹き出すものである。
この構成では、室内機５が居住空間Ａ内に配置されるから、居住空間Ａは閉ざされた空間を作り出すことができ、エアコン装置Ｃはこの居住空間Ａの空気を冷却して冷房を行うので、居住空間Ａを効率よく冷房することができるものとなった。
【００３３】
１６は室外機４の吹出口１４と対向する外壁部材２に設けた空気流出口、１７は空気流出口１６の内縁に取り付けられて、その先端が室外機４の吹出口１４の外周に接続する空気案内部材であり、室外熱交換器７を通過して吹出口１４から吹き出す高温空気は、空気案内部材１７によって誘導されて空気流出口１６からテント装置Ｂの外に吹き出すものであり、高温空気が空間３に漏れ出して逆流することがないから、空間３は開口１２から流入する新鮮な空気で満たされ、空間３の温度を低く維持することができるものである。
【００３４】
このように、エアコン装置Ｃが使用可能な状態で保管ができ、テント装置Ｂへの設置が容易にできるので、取り扱い性に優れたものとなり、また、家庭用のエアコンに使われる各種部品をそのまま流用して構成できるから、テント装置Ｂのための専用エアコン装置Ｃでも安価に製造できるものとなった。
また、室外機４が空間３内に配置されるから外壁部材２によって直射日光が遮られて直接加熱されることがなくなり、室外機４の周囲には空気の流れが発生しているから、室外機４を低温度に維持することができ、エアコン装置Ｃの冷房能力を維持できるものとなった。
【００３５】
１８は室外機４の吸気口１３と間隔をあけてベース１５から立ち上げた固定部材であり、固定部材１８はベース１５から立ち上げられた縦枠とその縦枠の上端部を連結する横枠及び連結枠で構成されており、この横枠及び連結枠に室外機４とは反対側に向けて室内機５が取り付けられている。
内壁部材１にはベース１５の固定部材１８に取り付けた室内機５と同じ高さとなるように開口部１９が設けてあり、エアコン装置Ｃをテント装置Ｂに設置するときは、固定部材１８を内壁部材１に接近させて室内機５を開口部１９から居住空間Ａに差込むことで、室内機５が居住空間Ａに配置され、室外機４が空間３内に配置される。
【００３６】
空間３内に室外機４が配置されると、室外送風機８が吸気口１３と内壁部材１との間の空気を吸込むが、この構成では、室外機４の吸気口１３と内壁部材１との間に固定部材１８が位置しており、固定部材１８によって内壁部材１が吸気口１３に吸い寄せられることがないから、内壁部材１が室外機４の室外熱交換器７に向かう空気流の妨げになることはない。
【００３７】
２１は開口部１９を封鎖する為の閉止部材、２０は閉止部材２２を開口部１９の周縁の内壁部材１に接続する密着手段であり、室内機５を開口部１９に差込んだ後、閉止部材２１を開口部１９の周縁の密着手段２０と密着させることで開口部１９が封鎖でき、エアコン装置Ｃを設置したときでも居住空間Ａと空間３をほぼ密閉することができる。
【００３８】
具体的な構成として、図３の実施例では閉止部材２１が開口部１９の上部で縫い合わされており、２０ａは開口部１９の周縁の側方と下部に取り付けた密着手段２０を構成する面ファスナーであり、エアコン装置Ｃを設置しないときは、閉止部材２１を開口部１９の周縁の面ファスナー２０ａに密着させて開口部１９を封鎖しており、居住空間Ａと空間３とを密閉することができる。
一方、エアコン装置Ｃを設置したときは、室内機５を開口部２０に差込んで居住空間Ａ内に位置させた後、閉止部材２１を開口部１９の周縁の面ファスナー２０ａに密着させると、閉止部材２１が固定部材１８を挟み込む形で開口部１９を封鎖するので、居住空間Ａと空間３とをほぼ密閉することができる。
【００３９】
このように、ベース１５によって一体化されたエアコン装置Ｃを設置するときでも、閉止部材２１で開口部１９を封鎖して居住空間Ａと空間３とを密閉することができるので、居住空間Ａの冷気を開口部１９から空間３に逃がすことなく、また逆に空間３の空気が開口部１９から居住空間Ａに入ることを防止でき、居住空間Ａの冷房効率を低下させることがないものである。
【００４０】
２２は空間３内の空気をテント装置Ｂの外へ吹き出すための排気ファン２２であり、排気ファン２２は外壁部材２の下端部に設置して、テント装置Ｂの空間３内と外気とを連絡しており、排気ファン２２を運転すると空間３の空気が吸込まれてテント装置Ｂの外に排出される。
大型のテント装置Ｂを使用するときや外気温が高いときには、室外機４の室外送風機８の能力だけでは空間３全体の温度が低下しないことがあるが、このような場合にはエアコン装置Ｃと対角位置に排気ファン２２を設置して、エアコン装置Ｃと排気ファン２２を同時に運転すれば、空間３全体に空気の流れを発生させることができるので、確実に空間３の温度上昇を防ぐことができるものとなる。
【００４１】
２３は外壁部材２の上部の開口１２に設けた網状体２３であり、開口１２を通過して空間３に向かう空気に含まれる埃やゴミを網状体２３で遮って、空間３内へのゴミや埃の侵入を防ぐことができる。このため、テント装置Ｂが使用環境の悪い場所に設置されたときでも、空間３内や室外機４の汚れが発生しにくくなるので、室外機４はゴミや埃の詰まりが原因となる性能低下の発生が格段に少なくなる。
【００４２】
２４はテント装置Ｂの上部に外壁部材２と間隔をあけて配置した日よけ部材であり、日よけ部材２４はテント装置Ｂの上方全体を覆うように設けている。テント装置Ｂの上部に日よけ部材２４を設置することで、日よけ部材２４によって直射日光が遮られて外壁部材２が加熱されにくくなるので、空間３を低温度に維持しやすくなり、居住空間Ａの冷房効率を向上させることができる。また、雨天時には外壁部材２の開口１２から空間３への雨水の浸水を防ぐので、湿気や水によるトラブルを防ぐことができる。
【００４３】
１２ａ・１６ａは外壁部材２の開口１２と空気流出口１６をそれぞれ閉止するための開閉手段であり、エアコン装置Ｃを使用しないときには開閉手段１２ａ・１６ａによって開口１２・空気流出口１６を閉止して空間３を密閉することができる。このため、石油ストーブなどで居住空間Ａの暖房を行うときは、密閉された空間３による断熱効果を得ることができ、優れた暖房効果を得ることができる。
【図面の簡単な説明】
【００４４】
【図１】この発明の実施例を示すエアコン装置を備えたテント装置の断面図である。
【図２】この発明の実施例のエアコン装置の設置状態を示す断面図である。
【図３】この発明の実施例のエアコン装置をテント装置に設置する前の状態を示す要部斜視図である。
【図４】この発明の実施例を示すテント装置の斜視図である。
【符号の説明】
【００４５】
Ａ    居住空間
Ｂ    テント装置
Ｃ    エアコン装置
１    内壁部材
２    外壁部材
３    空間
４    室外機
５    室内機
６    圧縮機
７    室外熱交換器
８    室外送風機
９    室内送風機
１０    室内空気流路
１１    室内熱交換器
１２    開口
１３    吸気口
１４    吹出口
１５    ベース
１６    空気流出口
１７    空気案内部材
１８    固定部材
１９    開口部
２０    密着手段
２１    閉止部材
２２    排気ファン
２３    網状体
２４    日よけ部材
【図１】
2010054167.tif 000003
【図２】
2010054167.tif 000004
【図３】
2010054167.tif 000005
【図４】
2010054167.tif 000006